【事件の表示】
　特許第２７３３６４２号「パチンコ機」の請求項１ないし２に係る特許に対する特許異議の申立てについて、次のとおり決定する。
【結　論】
　特許第２７３３６４２号の請求項１に係る特許を取り消す。
　同請求項２に係る特許を維持する。
【理　由】
１．手続の経緯
　本件特許第２７３３６４２号は、平成５年５月１２日に出願され、平成１０年１月９日に設定登録され、平成１０年９月３０日に特許異議申立人小林　澄より特許異議の申立てがなされ、当審の平成１１年９月１０日付第２回目の取消理由通知に対して、特許権者は平成１１年１１月１７日付特許異議意見書、訂正請求書及び訂正明細書を、また、同じく当審の平成１２年２月１５日付訂正拒絶理由通知に対して、特許権者は平成１２年４月２７日付意見書を提出したものである。その後、特許異議申立人小林　澄より、平成１２年５月３０日付で上申書が提出された。
　なお、当審の平成１１年２月５日付第１回目の取消理由通知に対する、特許権者による平成１１年４月２０日付訂正請求は取り下げられた。
２．訂正について
１）訂正明細書における特許請求の範囲の請求項１乃至２に係る記載
　上記平成１１年１１月１７日付訂正請求は、特許請求の範囲の減縮を目的とするものであって、訂正明細書における特許請求の範囲の請求項１乃至２に係る記載は、次のとおりである。
　「【請求項１】　図柄変動中に遊技盤に設けられた球検知装置を備える始動口を遊技球が通過すると所定個数を限度として記憶する記憶手段を備え、さらにドットマトリックス，ＬＥＤまたは液晶表示器により予め定められた種々の図柄を変動表示する可変表示器によって構成され、始動口の球検知装置からの球検知信号又は記憶手段の入賞記憶の消化ごとに、各可変表示器の表示図柄が一方向への循環変動を開始し、停止して種々の組合わせの図柄を表示する可変図柄表示装置を備えたものにおいて、
　図柄変動が開始してから、次の図柄変動が開始するまでの一サイクル時間Ｔを、最終図柄が停止してから次の図柄が変動するまでの時間である次作動待機時間ｔｖと、図柄が変動開始して最終図柄が停止するまでの時間である図柄変動時間ｔｘとの和とすると共に、次作動待機時間ｔｖを分割して、ｔｖ ＝ｔｖ１＋ｔｖ２とし、一サイクル時間Ｔの進行順序を、待機時間ｔｖ１、図柄変動時間ｔｘ、待機時間ｔｖ２の順序で消化するようにタイミング制御するタイミング制御手段を備え、１サイクル時間Ｔが消化されると入賞記憶から１個減算されるようにしたことを特徴とするパチンコ機。
　【請求項２】　図柄変動中に遊技盤に設けられた球検知装置を備える始動口を遊技球が通過すると所定個数を限度として記憶する記憶手段を備え、さらにドットマトリックス，ＬＥＤまたは液晶表示器により予め定められた種々の図柄を変動表示する可変表示器によって構成され、始動口の球検知装置からの球検知信号又は記憶手段の入賞記憶の消化ごとに、各可変表示器の表示図柄が一方向への循環変動を開始し、停止して種々の組合わせの図柄を表示する可変図柄表示装置を備えたものにおいて、
　図柄変動が開始してから、次の図柄変動が開始するまでの一サイクル時間Ｔを、最終図柄が停止してから次の図柄が変動するまでの時間である次作動待機時間ｔｖと、図柄が変動開始して最終図柄が停止するまでの時間である図柄変動時間ｔｘとの和とすると共に、一サイクル時間Ｔの進行順序を次作動待機時間ｔｖが消化後に、図柄変動時間ｔｘ を消化するようにタイミング制御するタイミング制御手段を備え、１サイクル時間Ｔが消化されると入賞記憶から１個減算されるようにしたことを特徴とするパチンコ機。」
２）独立特許要件の適否
（１）引用刊行物
　引用刊行物　特開平１−２３６０８１号公報
　平成１２年２月１５日付訂正拒絶理由通知で引用された上記引用刊行物には、次の事項が記載されている。
ア．　複数種類の識別情報を可変表示する複数の可変表示部材が備えられ、該可変表示部材の停止時における表示態様が予め定められた特定の組合わせとなったことに基づいて所定の遊技価値を付与する遊技機において・・・（特許請求の範囲）
イ．　始動入賞口３１ａ，３１ｂ，３１ｃにパチンコ玉が入賞することにより、後述するように、可変表示装置２８の可変表示部材の一例であるドラム状可変表示部材１２１ａ，１２１ｂ，１２１ｃの可変表示が開始される。（第２頁左下欄第１０乃至１５行目）
ウ．　パチンコ玉が始動入賞口３１ａ，３１ｂ，３１ｃに入賞すれば、それぞれに対応して設けられている始動入賞玉検出スイッチ４１ａ，４１ｂ，４１ｃにより検出されるよう構成されており、・・・（第３頁左下欄第１３乃至１７行目）
エ．　第１０Ａ図ないし第１０Ｄ図は前記第９図の制御回路の動作を説明するためのフローチャートである。（第８頁右下欄第３乃至５行目）
オ．　次に、ステップＳ４に進み、可変開始遅延時間を経過させる処理がなされる。この経過処理は、前記ステップＳ３に従って、ストップレバーの鉤部がラチェット歯車から完全に離脱するために必要となる時間を経過させ、モータ起動時の負荷軽減を図ることを目的とするものであり、たとえば０．１秒程度の時間である。（第９頁右上欄第２乃至８行目）
カ．　次に、ステップＳ５に進み、ドラムモータをＯＮにしドラム状可変表示部材を回転させ、ステップＳ６により可変表示中である旨を報知させる。（第９頁右上欄第９乃至１１行目）
キ．　ステップＳ５９ないしステップＳ６７により、ドラム状可変表示部材が右左中の順で停止される。次にステップＳ６８に進み、投光器をＯＮさせ、ステップＳ６９により図柄判定のための遅延時間を経過させる。（第１０頁右上欄第５乃至１０行目）
ク．　大当りの図柄の組合わせでないと判断された場合はステップＳ７１に進み、投光器をＯＦＦするとともにドラムモータをＯＦＦし、再び前記ステップＳ１に戻る。（第１０頁右上欄第１４乃至１８行目）
ケ．　１５７は始動入賞記憶表示ＬＥＤであり、前記始動入賞口３１ａ，３１ｂ，３１ｃ（第４図参照）にパチンコ玉が連続して入賞した場合に、その入賞個数を記憶して表示するためのものである。なお、始動入賞の記憶は４が上限である。（第６頁右下欄第１０乃至１５行）
コ．　可変表示装置２８は、本実施例ではドラム型のものを示したが、本発明はこれに限らず、液晶等を用いたデジタル表示のものであってもよく、また、リーフ式あるいはエレクトロルミネセンスによる表示であってもよい。さらに、複数のランプやＬＥＤを配設し、ランプやＬＥＤを巡回させながら１つずつ点灯させて可変表示を行なういわゆるルーレット式のものであってもよい。さらに、ドラム型やデジタル式等を組合わせるなど、前記種々の可変表示部材を２つ以上組合わせたものであってもよい。（第７頁右上欄第２０行乃至同左下欄第１０行）
サ．　始動入賞口３１ａ，３１ｂ，３１ｃにパチンコ玉が入賞することにより、後述するように、可変表示装置２８の可変表示部材の一例であるドラム状可変表示部材１２１ａ，１２１ｂ，１２１ｃの可変表示が開始される。（第２頁左下欄第１０乃至１５行）
シ．　まず、第１０Ａ図において、ステップＳ１により、始動入賞記憶カウンタの値が０か否かの判断がなされ、０でなくなるまで待機される。この第１０Ａ図 および後述する第１０Ｂ図、第１０Ｃ図に示すプログラムを実行する最中に、第１０Ｄ図に示す割込プログラムが、たとえば４ｍｓｅｃごとに実行される。この第１０Ｄ図に示す割込プログラムの内容は、まずステップＳ９０により、始動入賞玉検出スイッチがＯＮになったか否かの判断がなされ、ＯＮになっていなければ割込みが終了する。また、ＯＮになったと判断された場合はステップＳ９１に進み、始動入賞記憶カウンタの値が「４」であるか否かの判断がなされ、「４」でなければステップＳ９２に進み、始動入賞記憶カウンタを１インクリメントして割込みが終了する。一方、前記ステップＳ９１により、始動入賞記憶カウンタの値が既に「４」になっていると判断された場合は始動入賞記憶カウンタをインクリメントすることなくそのまま割込みが終了する。これは、始動入賞記憶の上限が４と定められているためである。しかし、本発明はこれに限らず５以上の値に設定してもよく、また逆に３以下の値に定めてもよい。
　次に、前記割込プログラムによって操作された始動入賞記憶カウンタの値が「０」でなくなれば、ステップＳ１によりＮＯの判断がなされてステップＳ２に進む。ステップＳ２では、始動入賞記憶カウンタを１ディクリメントした後にステップＳ３によりドラムソレノイドＡ，Ｂ，ＣをＯＮにし、・・・・・・・ドラムソレノイドＡ，Ｂ，Ｃが回転可能な状態に制御する。（第８頁右下欄第９行乃至第９頁右上欄第２行）
ス．　第２図には、始動入賞口３１ａ，３１ｂ，３１ｃにそれぞれ対応して設けられた始動入賞玉検出スイッチ４１ａ，４１ｂ，４１ｃが、遊技盤に設けられている点が認められる。
　上記ア乃至スの記載事項より、刊行物には、
　「図柄の可変表示中に、遊技盤に設けられた始動入賞玉検出スイッチを備える始動入賞口をパチンコ玉が通過すると所定個数４を限度として記憶する記憶手段を備え、さらにドラム型表示部材により予め定められた種々の図柄を変動表示する可変表示部材によって構成され、始動入賞玉検出スイッチからの球検知信号又は記憶手段の入賞記憶の消化ごとに、各可変表示部材の表示図柄が一方向への循環変動を開始し、停止して種々の組合わせの図柄を表示する可変表示装置を備えたものにおいて、図柄変動が開始してから、次の図柄変動が開始するまでの一サイクルを、一サイクルの進行順序を、可変開始遅延時間、図柄変動時間、図柄判定のための遅延時間 の順序で経過するように制御する制御回路を備え、１サイクル時間Ｔが開始されると入賞記憶から１個減算されるようにした遊技機。」
の発明が記載されていると言える。（以下、「引用刊行物の発明」という。）
（２）対比・判断            
Ａ．訂正明細書の請求項１に係る発明について
　訂正明細書の請求項１に係る発明において、一サイクル時間Ｔは、図柄変動が開始してから、次の図柄変動が開始するまでの時間であって、一サイクル時間Ｔの経過が、待機時間ｔｖ１、図柄変動時間ｔｘ、待機時間ｔｖ２の順序で経過するものである。
　そして、訂正明細書の請求項１に係る発明（前者）と引用刊行物の発明（後者）を比較すると、後者の可変表示部材、始動入賞玉検出スイッチ、始動入賞口、パチンコ玉、可変表示装置、可変開始遅延時間、図柄変動時間、図柄判定のための遅延時間、制御回路、遊技機が、それぞれ前者の可変表示器、球検知装置、始動口、遊技球、可変図柄表示装置、待機時間ｔＶ１、図柄変動時間ｔＸ 、待機時間ｔＶ２、タイミング制御手段、パチンコ機に相当しており、前者と後者は、次の（１）乃至（３）の点で相違するが、その余の点で一致している。
（１）予め定められた種々の図柄を変動表示する可変表示器が、前者は、ドットマトリックス，ＬＥＤまたは液晶表示器であるのに対して、後者はドラム型表示部材である点（相違点１）
（２）前者が、図柄変動が開始してから、次の図柄変動が開始するまでの一サイクル時間Ｔを、「最終図柄が停止してから次の図柄が変動するまでの時間である次作動待機時間ｔＶと、図柄が変動開始して最終図柄が停止するまでの時間である図柄変動時間ｔＸとの和とすると共に、次作動待機時間ｔＶ を分割して、ｔＶ ＝ｔＶＩ＋ｔＶ２とし」ているのに対し、後者はこの構成が不明である点で一応相違している（相違点２）。
（３）また、入賞記憶から１個減算するのを、前者は１サイクル時間Ｔが消化されると行うのに対し、後者は１サイクル時間Ｔが開始されると行う点で相違している（相違点３）。
　そこで、まず上記相違点１について検討すると、引用刊行物には「本実施例ではドラム型のものを示したが、本発明はこれに限らず、液晶等を用いたデジタル表示のものであってもよく、」（第７頁右上欄第２０行乃至左下欄第３行）と記載されているから、ドラム型以外の例えばドットマトリックス，ＬＥＤまたは液晶等周知の表示器を用いることは、当業者であれば適宜なし得る程度のものである。
　次に、相違点２については、引用刊行物の第１０Ａ図の制御回路の動作を説明するためのフローチャートの、ステップＳ４の「可変開始遅延時間を経過させる」よりステップＳ６９の「図柄判定のための遅延時間を経過させる」までと、本件特許の図面図７における２つの「次作動待機時間」間とを比較すると後者の刊行物のものは、「投光器をＯＮ」のステップＳ６８を有する点で前者のものと相違するが、このステップＳ６８の時間は、次作動待機時間に比較し瞬時のものであり、結局前者の次作動待機時間は、後者の可変開始遅延時間と図柄判定のための遅延時間の和に相当している。そして、後者の可変開始遅延時間を経過させることについて、引用刊行物には、「この経過処理は、前記ステップＳ３に従って、ストップレバーの鉤部がラチェット歯車から完全に離脱するために必要となる時間を経過させ、モータ起動時の負荷軽減を図ることを目的とするものであり、」（第９頁右上欄第４乃至８行）と記載されているものの、ドラム型以外の例えばドットマトリックス，ＬＥＤまたは液晶等周知の表示器を用いる際に、例えばドラム型と容易に交換可能なように、このような可変開始遅延時間を経過させるものとすることは当業者であれば、容易になし得るものである。
　特許権者は、この相違点２について平成１２年４月２７日付意見書において、「また、「ドラム型と容易に交換可能なように、このような可変開始遅延時間を
経過させる」とは、パチンコ機にあって、液晶等の表示器と、ドラム型表示器と
が交換される場合があることを前提として、あらかじめドラム型に対応できるよ
うに、可変開始遅延時間を設定することが考えられるとの趣旨、または、ドラム
型から液晶等の表示器に交換した場合に、可変開始遅延時間が結果としてドラム
型に残留するとの趣旨と解せられる。しかるに、このような、相互の交換を前提
とするパチンコ機は存在しない。」と主張しているが、前記２．２）（１）のコには、「さらに、ドラム型やデジタル式等を組合わせるなど、前記種々の可変表示部材を２つ以上組合わせたものであってもよい。」と記載されていて、ドラム型とデジタル式の液晶等を適宜組合わせることが記載されており、これはドラム型とデジタル式の液晶等の表示器間の交換を意味するばかりでなく、ドラム型に設けられる可変開始遅延時間をデジタル式の液晶等においても考慮することを示唆していると言える。
　更に、相違点３を検討すると、入賞記憶からの１個の減算を、後者は１サイクル時間Ｔが開始された時に行っているが、このようにしたものの方が前者のような次作動待機時間中の遊技球の入賞による入賞記憶の無効は起きないので、前者の１サイクル時間Ｔが消化された時に行うことによって格別の技術的意義があるとは認められない。
　したがって、本件訂正明細書の請求項１に係る発明は、引用刊行物に記載の発明に基づいて当業者が容易に発明をすることができたものと認められ特許法第２９条第２項の規定により特許を受けることができないものであり、本件請求項１に係る発明は、特許出願の際独立して特許を受けることができないものである。
（３）むすび
　以上のとおりであるから、本件訂正明細書の請求項１に係る発明は、上記引用刊行物に記載された発明に基づいて当業者が容易に発明をすることができたものであって、特許法第２９条第２項の規定により特許出願の際独立して特許を受けることができないものであるから、その余の点を検討するまでもなく、本件訂正請求は、特許法第１２０条の４第３項の規定により、同法（平成６年法律第１１６号）附則第６条の規定により準用する同第１２６条第３項の規定に適合しないので、当該訂正請求は認められない。
３．特許異議の申立てについての判断
１）本件発明
　本件発明は、本件特許明細書における特許請求の範囲の請求項１及び請求項２に記載された次のとおりのものである。
　「［請求項１］予め定められた種々の図柄を変動表示する可変表示器によって構成され、球検知装置を備えた始動口を遊技球が通過すると、球検知装置からの球検知信号に基づいて各可変表示器の表示図柄が一方向への循環変動を開始し、停止して種々の組合わせの図柄を表示する可変図柄表示装置を備えたものにおいて、
　図柄変動が開始してから、次の図柄変動が開始するまでの一サイクル時間Ｔを、最終図柄が停止してから次の図柄が変動するまでの時間である次作動待機時間ｔｖと、図柄が変動開始して最終図柄が停止するまでの時間である図柄変動時間ｔｘとの和とすると共に、次作動待機時間ｔｖを分割して、ｔｖ＝ｔｖ１十ｔｖ２とし、一サイクル時間Ｔの進行順序を、待機時間ｔｖ１、図柄変動時間ｔｘ、待機時間ｔｖ２の順序で消化するようにタイミング制御するタイミング制御手段を備えたことを特徴とするパチンコ機。
［請求項２］
 予め定められた種々の図柄を変動表示する可変表示器によって構成され、球検知装置を備えた始動口を遊技球が通過すると、球検知装置からの球検知信号に基づいて各可変表示器の表示図柄が一方向への循環変動を開始し、停止して種々の組合わせの図柄を表示する可変図柄表示装置を備えたものにおいて、
　図柄変動が開始してから、次の図柄変動が開始するまでの一サイクル時間Ｔを、最終図柄が停止してから次の図柄が変動するまでの時間である次作動待機時間tvと、図柄が変動開始して最終図柄が停止するまでの時間である図柄変動時間ｔｘとの和とすると共に、一サイクル時間Ｔの進行順序を次作動待機時間ｔｖが消化後に、図柄変動時間ｔｘを消化するようにタイミング制御するタイミング制御手段を備えたことを特徴とするパチンコ機。」
２）特許異議申立ての理由の概要
　特許異議申立ての理由の概要は、特開平５−３８３８０号公報（甲第１号証）、特開平１−２３６０８１号公報（甲第２号証）、実願昭６１−１７８７４８号（実開昭６３−８４２８４号）のマイクロフィルム （甲第３号証）、特開平１−２４４７７６号公報（甲第４号証）を提出して、本件特許の請求項１乃至２に係る発明は、前記甲第１乃至４号証に記載された発明に基づいて当業者が容易に発明をすることができたものであるから、本件特許は、特許法第２９条第２項の規定に違反してなされたもので、取り消されるべきものであるというにある。
３）当審の判断
（１）刊行物の記載
Ａ．特開平１−２３６０８１号公報（甲第２号証）
　上記２．２）（１）におけるア乃至スの記載事項より、平成１１年９月１０日付取消理由通知で引用された前記Ａの刊行物（前記引用刊行物と同じ。）には、
「予め定められた種々の図柄を変動表示する可変表示部材によって構成され、始動入賞玉検出スイッチを備えた、始動入賞口をパチンコ玉が通過すると、始動入賞玉検出スイッチの検出に基づいて各可変表示部材の表示図柄が一方向への循環変動を開始し、停止して種々の組合わせの図柄を表示する可変表示装置を備えたものにおいて、図柄変動が開始してから、次の図柄変動が開始するまでの一サイクルを、一サイクルの進行順序を、可変開始遅延時間、図柄変動時間、図柄判定のための遅延時間の順序で経過するように制御する制御回路を備えた遊技機。」
の発明が記載されていると認められる。（以下、「刊行物の発明」という。）
Ｂ．特開平５−３８３８０号公報（甲第１号証）
ア．　【請求項１】遊技盤面に設けた始動入賞口に入賞した始動入賞球数を表示する始動球数表示器と、
　前記始動入賞口の入賞に基いて所定の変動表示時間だけ複数種の識別情報を変動表示させ該変動表示の停止に基いていずれかの識別情報を所定の停止表示時間だけ停止表示する可変表示装置と、
　該可変表示装置に停止表示される停止識別情報を前記複数種の識別情報のいずれかの中から決定する識別情報決定回路と、
　該識別情報決定回路に決定された停止識別情報が予め定められた特定識別情報である場合に遊技者に有利な権利を発生させる可変入賞球装置とを設けたパチンコ機において、
　前記始動球数表示器に表示された始動入賞球数を算出する始動球数算出回路と、
　前記始動球数算出回路に算出された始動入賞球数に応じて所定の変動表示時間を設定し、前記変動表示を停止するための停止表示信号を前記可変表示装置に出力する表示タイマ回路とを設けたことを特徴とするパチンコ機。（特許請求の範囲）
イ．　第１５図に示すように、始動検知ａがあると可変表示装置の各図柄は、変動を開始する。
Ｃ．実願昭６１−１７８７４８号（実開昭６３−８４２８４号）のマイクロフィルム （甲第３号証）
ア．　遊技盤の遊技領域内に開閉翼並びに該開閉翼に案内されて入った遊技球に対する通常入賞口及び特別入賞口を有する変動入賞装置を配置すると共に、変動入賞装置に対する制御装置を設け．特別入賞口に入賞したとき、一定のウエイトタイムを置いて開閉翼の連続した所定回数の開閉動作を１サイクルとする特別遊技状態に移行させ、１サイクル中に更に特別入賞口に入賞したとき、ウエイトタイムを置いて新たな１サイクルを開始させ、そのサイクル更新を有限の回数まで可能とし、サイクル更新がなされる度に、当該サイクルに対応する更新回数を権利回数表示器に表示させる−方、１サイクル中に変動入賞装置内へ入賞した球数を入賞球数表示器に表示させるように制御したパチンコ機に於て、
　特別入賞口への入賞球を検出する特別入賞検出器、並びに通常入賞口及び特別入賞口への入賞球を検出するカウント検出器を設け、
　特別遊技状態を制御する手段として、通常遊技状態下で特別入賞検出器が検出動作したとき特別遊技状態に移行したことを記憶する手段と，特別遊技状態に移行した時より一定のウエイトタイム及びこれに続く１サイクルの動作の計時を開始する時間発生手段と、該時間発生手段により作成される１サイクル中に特別入賞検出器が検出動作する度に時間発生手段の計時動作をリセットする手段と、該時間発生手段の１サイクルの動作の計時が終了したとき前記記憶手段を初期状態にして時間発生手段の計時を停止させ通常遊技状態に戻す手段とを設け、
　更新回数を権利回数表示器に表示させる手段として、特別遊技状態に移行している間、前記時間発生手段により作成される１サイクル中における特別入賞検出器の検出動作により計数内容が歩進される権利回数カウンタを含ませ、
　入賞個数を入賞球数表示器に表示させる手段として、前記時間発生手段によるウエイトタイムが開始した時点でリセットされ、特別遊技状態に移行している間はウエイトタイム中もカウント検出器の検出動作により内容が歩進される個数カウンタとを含ませたことを特徴とするパチンコ機。（実用新案登録請求の範囲）
Ｄ．特開平１−２４４７７６号公報（甲第４号証）
ア．　遊技領域内に、始動入賞装置と、該始動入賞装置中への打球の流入により作動されて表示の変化が行なわれる可変表示装置と、該可変表示装置の表示変化の停止結果としての特定の表示態様に基づき大当りとして駆動手段により開放状態にされる入賞口を備えた変動入賞装置と、前記始動入賞装置への打球の流入を検出する検出器と、該検出器からの信号を受けて前記可変表示装置に表示変化を行なわせその停止結果としての特定の表示態様を検出して前記変動入賞装置の入賞口を所定期間開放させるとともに一定の条件下にその所定期間の開放のサイクルを更新させるようにする制御手段とを備えたパチンコ遊技機。（特許請求の範囲）
イ．　そして．打球発射装置２０の作動によって遊技領域２内に打ち込まれた打球が始動入賞装置６，８中に入賞すると、それが始動入賞装置６，８の流路にそれぞれ設置された特定入賞検出器６１，８ａに検出される。その検出信号に基づいて、前記可変表示装置４の記憶表示部４１１ｅ〜４１１ｈのランプが全て一旦消灯される。しかる後、第１の始動入賞装置６中に入賞した個数に対応する数だけ記憶表示部４１１ｅ，４１１ｆ中の緑色のランプがイ、ロの順に点灯され、第２の始動入賞装置８中に入賞した個数に対応する数だけ記憶表示部４１１ｇ，４１１ｈ中の赤色のランプがハ、ニの順に点灯される．
　その点灯後、一定時間経過してから始動入賞装置６，８への入賞記憶に基づき、可変表示装置４の３つの可変表示部Ａ，Ｂ，Ｃの表示がそれぞれ別個独立に変動される。
　その表示の変動の態様は第１の始動入賞装置６への入賞記憶に基づく場合と第２の始動入賞装置８への入賞記憶に基づく場合とで異なる。（第３頁右上欄第１６行乃至左下欄第１５行）
ウ．　この状態で第１の始動入賞装置６，６への入賞又は入賞記憶があると、回転停止装置４６５〜４６７のソレノイド４６５ａ〜４６７ａが励磁されて係止レバー４６５ｄ〜４６７ｄが回動されることによりそれらの鉤状部４６５ｆ〜４６７ｆがラチェット歯車４３４ｃ〜４３６ｃから外れる。そして、その直後にモータ４６０が差動されることにより、可変表示機４３４〜４３６のディスク４３４ｂ〜４３６ｂが動力伝達歯車４３４ｄ〜４３６ｄから動力を伝達されて回転され、それによって可変表示部Ａ，Ｂ，Ｃの表示が変化される。（第８頁左下欄第１０行乃至２０行）
（２）請求項１に係る発明について
　特許明細書の請求項１に係る発明は、一サイクル時間Ｔは、図柄変動が開始してから、次の図柄変動が開始するまでの時間であるが、一サイクル時間Ｔの経過が、待機時間ｔｖ１、図柄変動時間ｔｘ、待機時間ｔｖ２の順序で経過するものである。
　そして、本件請求項１に係る発明（前者）と前記Ａの刊行物の発明（後者）を比較すると、前者の可変表示器、球検知装置、始動口、遊技球、可変図柄表示装置、待機時間ｔＶ１、図柄変動時間ｔＸ 、待機時間ｔＶ２、タイミング制御手段、パチンコ機、がそれぞれ後者の、可変表示部材、始動入賞玉検出スイッチ、始動入賞口、パチンコ玉、可変表示装置、可変開始遅延時間、図柄変動時間、図柄判定のための遅延時間、制御回路、遊技機に相当しており、前者と後者は、前者が、図柄変動が開始してから、次の図柄変動が開始するまでの一サイクル時間Ｔを、「最終図柄が停止してから次の図柄が変動するまでの時間である次作動待機時間ｔＶと、図柄が変動開始して最終図柄が停止するまでの時間である図柄変動時間ｔＸとの和とすると共に、次作動待機時間ｔＶ を分割して、ｔＶ ＝ｔＶＩ＋ｔＶ２とし」ているのに対し、後者はこの構成が不明である点で一応相違している（相違点１）。
　そこで、この相違点１について検討すると、刊行物の第１０Ａ図の制御回路の動作を説明するためのフローチャートの、ステップＳ４の「可変開始遅延時間を経過させる」よりステップＳ６９の「図柄判定のための遅延時間を経過させる」までと、本件特許の図面図７における２つの「次作動待機時間」間とを比較すると後者の刊行物のものは、「投光器をＯＮ」のステップＳ６８を有する点で前者のものと相違するが、このステップＳ６８の時間は、次作動待機時間に比較し瞬時のものであり、結局前記相違点は、格別なものでなく、設計上当業者が適宜容易になし得る程度のものである。
　したがって、本件請求項１に係る発明は、刊行物に記載の発明に基づいて当業者が容易に発明をすることができたものと認められ特許法第２９条第２項の規定により特許を受けることができないものであり、その特許は取り消すべきものである。
　
（３）請求項２に係る発明について
　特許明細書の請求項２に係る発明において、一サイクル時間Ｔは、図柄変動が開始してから、次の図柄変動が開始するまでの時間であるが、一サイクル時間Ｔの経過が、待機時間ｔｖ１、図柄変動時間ｔｘの順序で経過するものである。
　そして、請求項２に係る発明（前者）と刊行物に記載の発明（後者）を比較すると、前者と後者は前者が「図柄変動が開始してから、次の図柄変動が開始するまでの一サイクル時間Ｔを、最終図柄が停止してから次の図柄が変動するまでの時間である次作動待機時間ｔＶと、図柄が変動開始して最終図柄が停止するまでの時間である図柄変動時間ｔＸとの和とすると共に、一サイクル時間Ｔの進行順序を次作動待機時間ｔＶ が消化後に、図柄変動時間ｔＸ を消化するようにタイミング制御する」のに対し後者は、「図柄変動が開始してから、次の図柄変動が開始するまでの一サイクルを、一サイクルの進行順序を、可変開始遅延時間、図柄変動時間、図柄判定のための遅延時間 の順序で経過するように制御する」点で相違する（相違点２）がその余の点では一致している。
　この相違点２について検討すると、刊行物には上記ステップＳ４の「可変開始遅延時間を経過させる」に関し、「この経過処理は、前記ステップ３に従って、ストップレバーの鉤部がラチェット歯車から完全に離脱するために必要となる時間を経過させ、モータ起動時の負荷軽減を図ることを目的とするものであり、」（第９頁右上欄第４乃至８行）と記載され、更に「本実施例ではドラム型のものを示したが、本発明はこれに限らず、液晶等を用いたデジタル表示のものであってもよく、」（第７頁右上欄第２０行乃至左下欄第３行）と記載されているから、ドラム型以外の例えば液晶等を用いたデジタル表示のものの場合においては、このステップＳ４は必要のないものであるから、後者は、「一サイクルの進行順序を、図柄変動時間、図柄判定のための遅延時間 の順序で経過するように制御する」ものも開示していると言える。しかし、前者の「一サイクル時間Ｔの進行順序を次作動待機時間ｔＶ が消化後に、図柄変動時間ｔＸ を消化するようにタイミング制御する」点は記載されておらず、また、これを示唆する記載も認められない。
　　したがって、本件請求項２に係る発明は、刊行物に記載の発明であるとすることはできず、また、刊行物に記載の発明に基づいて当業者が容易に発明をすることができたものとすることはできない。
　更に、甲第１号証、甲第３号証及び甲第４号証の各刊行物について検討する。
　甲第１号証刊行物について検討すると、上記Ｂのア乃至イの記載より、甲第１号証のものは、始動入賞口の入賞により始動検知ａがあると、可変表示装置の各図柄は、変動を開始し、所定の変動表示時間だけ複数種の識別情報を変動表示させ、該変動表示の停止に基いていずれかの識別情報を所定の停止表示時間だけ停止表示するものである。これは、本件特許明細書の段落０００４に記載されている、次作動待機時間ｔｖを図柄変動時間ｔｘが消化してから進行するように、後付した従来技術のものである。
　また、甲第３号証刊行物について検討すると、上記Ｃのアの記載より、甲第３号証のものは、特別入賞口に入賞したとき、一定のウエイトタイムを置いて開閉翼の連続した所定回数の開閉動作を１サイクルとする特別遊技状態に移行させ、１サイクル中に更に特別入賞口に入賞したとき、ウエイトタイムを置いて新たな１サイクルを開始させ、そのサイクル更新を有限の回数まで可能とした変動入賞装置に関するものであって、本件請求項１のような可変表示装置の次作動待機時間ｔｖに関するものでない。
　更に、甲第４号証刊行物について検討すると、上記Ｄのア乃至ウの記載より、甲第４号証のものは、一定時間経過してから始動入賞装置６，８への入賞記憶に基づき、可変表示装置４の３つの可変表示部Ａ，Ｂ，Ｃの表示がそれぞれ別個独立に変動されるものであるが、この一定時間の経過は、甲第２号証のものと同様にストップレバーの鉤部がラチェット歯車から完全に離脱するために必要となる時間を経過させ、モータ起動時の負荷軽減を図ることを目的とするものであると認められる。そして、甲第４号証には、甲第２号証に記載されている「図柄変動が開始してから、次の図柄変動が開始するまでの一サイクルを、一サイクルの進行順序を、可変開始遅延時間、図柄変動時間、図柄判定のための遅延時間 の順序で経過するように制御する制御回路を備え、」る点についての記載は認められない。
　以上のとおりであるから、甲第１号証、甲第３号証及び甲第４号証には、本件発明の必須の構成である「一サイクル時間Ｔの進行順序を次作動待機時間ｔＶ が消化後に、図柄変動時間ｔＸ を消化するようにタイミング制御する」点について、記載がされておらずかつ示唆もされていない。
４．まとめ
　以上のように、本件請求項１に係る発明は、刊行物に記載の発明に基づいて当業者が容易に発明をすることができたものと認められ特許法第２９条第２項の規定により特許を受けることができないものであり、その特許は取り消すべきものである。また、本件請求項２に係る特許は、特許異議申立ての理由及び証拠によっては取り消すことができず、更に、他にその特許を取り消すべき理由を発見しない。
　よって、結論のとおり決定する。
【異議決定日】
平成１２年８月１８日（２０００．８．１８）